(57)【特許請求の範囲】
【請求項１】
格闘技の練習に使用され、組み手において技を受ける練習相手が装着する格闘技用練習具であって、
前記格闘技用練習具が、前記練習相手が着脱可能に装着し、該練習相手の胸部および腹部を前記技を繰り出す練習者の打撃から保護するボディープロテクターと、前記ボディープロテクターの前面に連結手段を介して取り付けられて前記練習者の打撃を受ける模擬ヘッドとから形成され、前記模擬ヘッドが、ヘッドギアと前記ヘッドギアの内部に着脱可能に収容されたメディシンボールとから形成されていることを特徴とする格闘技用練習具。
【請求項２】
前記格闘技用練習具では、前記模擬ヘッドが前記ボディープロテクターの幅方向中央に取り付けられ、前記模擬ヘッドの前記ボディープロテクターに対する取付位置が前記連結手段を介して該ボディープロテクターの上端部と下端部との間で変更可能である請求項１に記載の格闘技用練習具。
【請求項３】
前記連結手段が、前記ボディープロテクターの前面であって該ボディープロテクターの上端部と下端部との間に取り付けられたメカニカルファスナの雄ファスナと雌ファスナとのうちのいずれか一方と、前記模擬ヘッドの後部に取り付けられた前記雄ファスナと前記雌ファスナとのうちのいずれか他方とから形成され、前記格闘技用練習具では、前記模擬ヘッドが前記メカニカルファスナを介して前記ボディープロテクターの所定の位置に連結されることで該模擬ヘッドが該ボディープロテクターの上端部と下端部との間の任意の部位に取り付けられる請求項２に記載の格闘技用練習具。
【請求項４】
前記連結手段が、前記ボディープロテクターの上端部の幅方向両側から下方へ延びる一対の連結ベルトと、前記連結ベルトの上下方向の長さを調節する長さ調節部材とを含み、前記連結ベルトの下端部が、前記模擬ヘッドに連結され、前記格闘技用練習具では、前記長さ調節部材によって前記連結ベルトの長さを調節しつつ、前記模擬ヘッドが前記メカニカルファスナを介して前記ボディープロテクターの上端部と下端部との間の任意の部位に取り付けられる請求項３に記載の格闘技用練習具。
【請求項５】
前記練習相手の鼠径部と大腿部とを前記練習者の打撃から保護する第１保護パッドが、前記ボディープロテクターの下端部に着脱可能に取り付けられて該ボディープロテクターの下端部から下方へ延びている請求項１ないし請求項４いずれかに記載の格闘技用練習具。
【請求項６】
前記ボディープロテクターが、前記練習相手の脇腹から背中に位置する両側部を含み、前記練習相手の腰側面と大腿部側面とを前記練習者の打撃から保護する一対の第２保護パッドが、前記ボディープロテクターの両側部に着脱可能に取り付けられて該ボディープロテクターの両側部から下方へ延びている請求項１ないし請求項５いずれかに記載の格闘技用練習具。
【請求項７】
前記格闘技用練習具では、それを装着する前記練習相手が大人であり、前記技を繰り出す練習者が前記大人よりも背が低い子供である請求項１ないし請求項６いずれかに記載の格闘技用練習具。
【請求項８】
前記格闘技が、空手であり、前記ボディープロテクターが、空手用ボディープロテクターであり、前記ヘッドギアが、空手用ヘッドギアである請求項１ないし請求項７いずれかに記載の格闘技用練習具。
【発明の詳細な説明】
【技術分野】
【０００１】
本発明は、格闘技の練習に使用され、組み手において技を受ける練習相手が装着する格闘技用練習具に関する。
【背景技術】
【０００２】
上半身の胸部を含む前面に当てられるプロテクター本体の上部側に取り付けられた首に掛けられる吊りバンドと、プロテクター本体の下部の左右両側に取り付けられた腰の回りに締め付けられる腰ベルトと、腰ベルトの左右２箇所の部位に取り付けられたバックルとから形成された胸当てプロテクターが開示されている（特許文献１参照）。
【０００３】
胸当てプロテクターのバックルでは、腰ベルトを形成する帯状体が送り込まれる枠内に帯状体が掛け回される軸部が差し渡され、この軸部に掛け回される帯状体の戻りを楔で係止する。胸当てプロテクターでは、このバックルの軸部に掛け回された帯状体の先端側を送り込まれた元方向側へ引っ張ったときに、腰ベルトの有効長が短くなって装着者の腰の回りに締め付け、適切な腰ベルトの締め付け力を確保する。胸当てプロテクターは、それを装着することで装着者の胸部や腹部が保護され、所定の衝撃が装着者の胸部や腹部に加えられたとしても、その衝撃から装着者を保護する。
【先行技術文献】
【特許文献】
【０００４】
【特許文献１】特開２０１０−１１９２１号公報
【発明の概要】
【発明が解決しようとする課題】
【０００５】
空手の試合を想定した組み手では、伸長が略同一の練習相手がボディープロテクターやヘッドギア、レッグボディーを装着し、練習相手と伸長が略同一の練習者が練習相手に突きや蹴り等の打撃を繰り出す。しかし、ボディープロテクターを装着した背の高い大人が大人よりも背の低い子供の練習相手になり、子供を指導する場合、子供が突きや蹴り等の打撃を大人の顔面を含む頭部に繰り出すことは難しく、大人の顔面を含む頭部を対象にした打撃練習ができず、大人と子供との身長差によって効果的かつ実戦的な練習ができなかった。前記特許文献１に開示の胸当てプロテクターも同様に、それを装着した大人が子供の打撃を受ける場合、大人と子供との身長差によって大人の顔面を含む頭部を対象にした打撃練習ができない。
【０００６】
本発明の目的は、格闘技の練習相手と練習者との間に身長差があったとしても、顔面を含む頭部を対象にした打撃練習をすることができ、格闘技の効果的かつ実戦的な練習をすることができる格闘技用練習具を提供することにある。本発明の他の目的は、格闘技の練習相手がその両腕を自由に使うことができ、練習者に対して練習相手からも技を繰り出すことができるとともに、練習者がより実戦的な攻守の練習をすることができる格闘技用練習具を提供することにある。
【課題を解決するための手段】
【０００７】
前記課題を解決するための本発明の前提は、格闘技の練習に使用され、組み手において技を受ける練習相手が装着する格闘技用練習具である。
【０００８】
前記前提における本発明の特徴は、格闘技用練習具が、練習相手が着脱可能に装着し、練習相手の胸部および腹部を技を繰り出す練習者の打撃から保護するボディープロテクターと、ボディープロテクターの前面に連結手段を介して取り付けられて練習者の打撃を受ける模擬ヘッドとから形成され、模擬ヘッドが、ヘッドギアとヘッドギアの内部に着脱可能に収容されたメディシンボールとから形成されていることにある。
【０００９】
本発明の一例として、格闘技用練習具では、模擬ヘッドがボディープロテクターの幅方向中央に取り付けられ、模擬ヘッドのボディープロテクターに対する取付位置が連結手段を介してボディープロテクターの上端部と下端部との間で変更可能である。
【００１０】
本発明の他の一例としては、連結手段が、ボディープロテクターの前面であってボディープロテクターの上端部と下端部との間に取り付けられたメカニカルファスナの雄ファスナと雌ファスナとのうちのいずれか一方と、模擬ヘッドの後部に取り付けられた雄ファスナと雌ファスナとのうちのいずれか他方とから形成され、格闘技用練習具では、模擬ヘッドがメカニカルファスナを介してボディープロテクターの所定の位置に連結されることで模擬ヘッドがボディープロテクターの上端部と下端部との間の任意の部位に取り付けられる。
【００１１】
本発明の他の一例としては、連結手段が、ボディープロテクターの上端部の幅方向両側から下方へ延びる一対の連結ベルトと、連結ベルトの上下方向の長さを調節する長さ調節部材とを含み、連結ベルトの下端部が模擬ヘッドに連結され、格闘技用練習具では、長さ調節部材によって連結ベルトの長さを調節しつつ、模擬ヘッドがメカニカルファスナを介してボディープロテクターの上端部と下端部との間の任意の部位に取り付けられる。
【００１２】
本発明の他の一例としては、練習相手の鼠径部と大腿部とを練習者の打撃から保護する第１保護パッドがボディープロテクターの下端部に着脱可能に取り付けられてボディープロテクターの下端部から下方へ延びている。
【００１３】
本発明の他の一例としては、ボディープロテクターが練習相手の脇腹から背中に位置する両側部を含み、練習相手の腰側面と大腿部側面とを練習者の打撃から保護する一対の第２保護パッドがボディープロテクターの両側部に着脱可能に取り付けられてボディープロテクターの両側部から下方へ延びている。
【００１４】
本発明の他の一例として、格闘技用練習具では、それを装着する練習相手が大人であり、技を繰り出す練習者が大人よりも背が低い子供である。
【００１５】
本発明の他の一例としては、格闘技が空手であり、ボディープロテクターが空手用ボディープロテクターであり、ヘッドギアが空手用ヘッドギアである。
【発明の効果】
【００１６】
本発明にかかる格闘技用練習具よれば、それを装着した練習相手の伸長が練習者のそれよりも高く、身長差によって練習相手の顔面を含む頭部に打撃を加えられない場合であっても、練習者の顔面を含む頭部の位置と略同じボディープロテクターの部位に模擬ヘッドを取り付けることで、ボディープロテクターと模擬ヘッドとから形成された格闘技用練習具を仮想練習相手に見立て、その模擬ヘッドを仮想練習相手の頭部と想定しつつ模擬ヘッドから下方に延びるボディープロテクターを仮想練習相手の胴部と想定して練習者がボディープロテクターや模擬ヘッドに打撃を加えることができる。格闘技用練習具は、格闘技の練習相手と練習者との間に身長差があったとしても、練習者が胴部のみならず顔面を含む頭部を対象にした打撃練習をすることができ、格闘技用練習具を利用することで練習者が練習相手と格闘技の効果的かつ実戦的な練習をすることができる。格闘技用練習具は、格闘技の練習相手が手でミットを持つ必要がなく、練習相手がその両腕を自由に使うことができ、練習者に対して練習相手からも技を繰り出すことができる。格闘技用練習具は、練習者に対して練習相手からも技を繰り出すことができるから、練習者がより実戦的な攻守の練習をすることができ、実戦を想定した間合い（距離感）を養うことができる。
【００１７】
格闘技用練習具は、模擬ヘッドがヘッドギアとヘッドギアの内部に着脱可能に収容されたメディシンボールとから形成され、人間の頭部を保護するヘッドギアとメディシンボールとを練習者の顔面を含む頭部の位置と略同じボディープロテクターの部位に取り付けることで、人間の頭部と略同じ大きさの模擬ヘッドをボディープロテクターに形成することができるから、練習者がヘッドギアとメディシンボールとから形成された模擬ヘッドを仮想練習相手の頭部として想定し易く、練習者がその模擬ヘッドに打撃を加えることで、格闘技の効果的かつ実戦的な練習をすることができる。格闘技用練習具は、練習者が柔らかいメディシンボールを打撃するから、相手の顔面や頭部を想定した打撃感を身につけることができるとともに、練習者の打撃力がメディシンボールに吸収されるから、練習中における練習者の拳や脚部の怪我を防ぐことができる。
【００１８】
模擬ヘッドがボディープロテクターの幅方向中央に取り付けられ、模擬ヘッドのプロテクターに対する取付位置が連結手段を介してボディープロテクターの上端部と下端部との間で変更可能である格闘技用練習具は、模擬ヘッドをボディープロテクターの幅方向中央部であって上下端部の間の任意の部位に取り付けることができるから、各練習者の伸長に高低があったとしても、それら練習者の顔面を含む頭部の位置と略同じボディープロテクターの部位に模擬ヘッドを取り付けることができる。格闘技用練習具は、ボディープロテクターに対する模擬ヘッドの位置をそれら練習者の顔面を含む頭部の位置と略同じにすることができるから、格闘技の練習相手と各練習者との間に身長差があったとしても、それら練習者が顔面を含む頭部を対象にした打撃練習をすることができ、格闘技用練習具を利用することでそれら練習者が練習相手と格闘技の効果的かつ実戦的な練習をすることができる。
【００１９】
連結手段がボディープロテクターの前面であってボディープロテクターの上端部と下端部との間に取り付けられたメカニカルファスナの雄ファスナと雌ファスナとのうちのいずれか一方と模擬ヘッドの後部に取り付けられた雄ファスナと雌ファスナとのうちのいずれか他方とから形成され、模擬ヘッドがメカニカルファスナを介してボディープロテクターの所定の位置に連結されることで模擬ヘッドがボディープロテクターの上端部と下端部との間の任意の部位に取り付けられる格闘技用練習具は、メカニカルファスナを利用して模擬ヘッドをボディープロテクターの上下端部の間の任意の部位に取り付けることができるから、各練習者の伸長に高低があったとしても、それら練習者の顔面を含む頭部の位置と略同じボディープロテクターの部位に模擬ヘッドを取り付けることができる。格闘技用練習具は、ボディープロテクターに対する模擬ヘッドの位置をそれら練習者の顔面を含む頭部の位置と略同じにすることができるから、格闘技の練習相手と各練習者との間に身長差があったとしても、それら練習者が顔面を含む頭部を対象にした打撃練習をすることができ、格闘技用練習具を利用することでそれら練習者が練習相手と格闘技の効果的かつ実戦的な練習をすることができる。
【００２０】
連結手段がボディープロテクターの上端部の幅方向両側から下方へ延びる一対の連結ベルトと連結ベルトの上下方向の長さを調節する長さ調節部材とを含み、連結ベルトの下端部が模擬ヘッドに連結され、長さ調節部材によって連結ベルトの長さを調節しつつ、模擬ヘッドがメカニカルファスナを介してボディープロテクターの上端部と下端部との間の任意の部位に取り付けられる格闘技用練習具は、長さ調節部材によってそれら連結ベルトの上下方向の長さを調節しつつ、メカニカルファスナを介して模擬ヘッドをボディープロテクターの所定の位置に取り付けることで、模擬ヘッドをボディープロテクターの上下端部の間の任意の部位に位置させることができるから、各練習者の伸長に高低があったとしても、それら練習者の顔面を含む頭部の位置と略同じボディープロテクターの部位に模擬ヘッドを取り付けることができる。格闘技用練習具は、ボディープロテクターに対する模擬ヘッドの位置をそれら練習者の顔面を含む頭部の位置と略同じにすることができるから、格闘技の練習相手と各練習者との間に身長差があったとしても、それら練習者が顔面を含む頭部を対象にした打撃練習をすることができ、格闘技用練習具を利用することでそれら練習者が練習相手と格闘技の効果的かつ実戦的な練習をすることができる。格闘技用練習具は、模擬ヘッドが連結ベルトに連結されているから、模擬ヘッドをメカニカルファスナのみによってボディープロテクターに取り付ける場合と比較し、模擬ヘッドがボディープロテクターから外れることはなく、練習者が模擬ヘッドを激しく打撃したとしても、模擬ヘッドがボディープロテクターから他所に飛ばされることはない。
【００２１】
練習相手の鼠径部と大腿部とを練習者の打撃から保護する第１保護パッドがボディープロテクターの下端部に着脱可能に取り付けられてボディープロテクターの下端部から下方へ延びている格闘技用練習具は、模擬ヘッドをボディープロテクターの所定の部位に取り付けたときに、練習相手の鼠径部から大腿部までを仮想練習相手の胴部や脚部と想定して第１保護パッドに練習者が打撃を加えることができ、練習者と略同じ伸長の仮想練習相手の胴部や脚部を想定しつつ練習者が練習相手と格闘技の効果的かつ実戦的な練習をすることができる。
【００２２】
ボディープロテクターが練習相手の脇腹から背中に位置する両側部を含み、練習相手の腰側面と大腿部側面とを練習者の打撃から保護する一対の第２保護パッドがボディープロテクターの両側部に着脱可能に取り付けられてボディープロテクターの両側部から下方へ延びている格闘技用練習具は、模擬ヘッドをボディープロテクターの所定の部位に取り付けたときに、練習相手の腰側面と大腿部側面とを仮想練習相手の胴部や脚部と想定してそれら第２保護パッドに練習者が打撃を加えることができ、練習者と略同じ伸長の仮想練習相手の胴部や脚部を想定しつつ練習者が練習相手と格闘技の効果的かつ実戦的な練習をすることができる。
【００２３】
格闘技用練習具を装着する練習相手が大人であり、技を繰り出す練習者が大人よりも背が低い子供である格闘技用練習具は、練習相手である大人と練習者である背の低い子供との間に身長差があったとしても、子供が模擬ヘッドに打撃を加えることで、子供が胴部のみならず顔面を含む頭部を対象にした打撃練習をすることができ、格闘技用練習具を利用することで子供が大人と格闘技の効果的かつ実戦的な練習をすることができる。格闘技用練習具は、大人の指導者が格闘技用練習具を装着して子供である練習者に稽古を付けることができるから、大人の指導の下に子供が格闘技の練習を積むことができ、子供の格闘技の腕を確実に上達させることができる。
【００２４】
格闘技が空手であり、ボディープロテクターが空手用プロテクターであり、ヘッドギアが空手用ヘッドギアである格闘技用練習具は、練習相手と練習相手よりも背の低い練習者との間に身長差があったとしても、子供が模擬ヘッドに打撃を加えることで、練習者が胴部のみならず顔面を含む頭部を対象にした空手の打撃練習をすることができ、格闘技用練習具を利用することで練習者が練習相手と空手の効果的かつ実戦的な練習をすることができる。格闘技用練習具は、練習相手である指導者が格闘技用練習具を装着して練習者に空手の稽古を付けることができるから、大人の指導の下に子供が空手の練習を積むことができ、練習者の空手の腕を確実に上達させることができる。
【図面の簡単な説明】
【００２５】
【図１】一例として示す格闘技用練習具の斜視図。
【図２】一例として示す空手用ボディープロテクターの斜視図。
【図３】一例として示す模擬ヘッドの斜視図。
【図４】模擬ヘッドを形成する空手用ヘッドギアとメディシンボールとの斜視図。
【図５】一例として示す第１保護パッドの斜視図。
【図６】一例として示す第２保護パッドの斜視図。
【図７】図１の格闘技用練習具を装着した練習相手の斜視図。
【図８】図１の格闘技用練習具を装着した練習相手と練習者との斜視図。
【図９】他の一例として示す格闘技用練習具の斜視図。
【図１０】他の一例として示す空手用ボディープロテクターの斜視図。
【図１１】後部の側から示す模擬ヘッドの斜視図。
【図１２】図９の格闘技用練習具を装着した練習相手の斜視図
【図１３】図９の格闘技用練習具を装着した練習相手と練習者との斜視図。
【発明を実施するための形態】
【００２６】
一例として示す格闘技用練習具１０Ａの斜視図である図１等の添付の図面を参照し、本発明にかかる格闘技用練習具の詳細を説明すると、以下のとおりである。なお、図２は、一例として示す空手用ボディープロテクター１１の斜視図であり、図３は、一例として示す模擬ヘッド１３の斜視図である。図４は、模擬ヘッド１３を形成する空手用ヘッドギア３０とメディシンボール３１との斜視図であり、図５は、一例として示す第１保護パッド１４の斜視図である。図６は、一例として示す第２保護パッド１５の斜視図である。図５では、一対の第１保護パッド１４のうちの左足用のそれのみを示す。図６では、一対の第５保護パッド１５のうちの左足用のそれのみを示す。図１では、上下方向を矢印Ａで示し、幅方向を矢印Ｂで示す。
【００２７】
格闘技用練習具１０Ａは、空手（格闘技）の組み手において練習者４５の技を受ける練習相手４４が装着し、空手の練習に使用される。なお、格闘技用練習具１０Ａは、空手の他に、少林寺拳法やカンフー、テコンドー、キックボクシング、ムエタイ、ボクシング等の打撃を繰り出して身体で攻撃、防御を行うあらゆる格闘技（打撃系格闘技、総合格闘技）に使用することができる。練習相手４４は、空手を指導する大人４６（指導者）であり、練習者４５は、大人４６よりも背が低い空手を練習する子供４７である。
【００２８】
格闘技用練習具１０Ａは、練習相手４４が着脱可能に装着する所定面積の空手用ボディープロテクター１１（ボディープロテクター）と、ボディープロテクター１１の前面１２に第１連結手段（連結手段）を介して着脱可能に取り付けられた模擬ヘッド１３と、ボディープロテクター１１に第２連結手段（連結手段）を介して着脱可能に取り付けられた一対の第１保護パッド１４と、ボディープロテクター１１および第１保護パッド１４に第３および第４連結手段（連結手段）を介して着脱可能に取り付けられた一対の第２保護パッド１５とから形成されている。
【００２９】
空手用ボディープロテクター１１は、柔軟性およびクッション性を有し、練習相手４４の胸部（肋骨および鎖骨）および腹部（脇腹を含む）を技（突きや蹴り等）を繰り出す練習者４５の打撃から保護する。ボディープロテクター１１は、それを装着したときに練習相手４４の頸の下方近傍に位置（当接）する上端部１６と、練習相手４４の胸部および腹部に位置（当接）する中間部１７と、練習相手４４の鼠径部の上方近傍に位置（当接）する下端部１８と、練習相手４４の脇腹（横腹）から背中に位置（当接）する両側部１９とを有する。
【００３０】
ボディープロテクター１１には、練習相手４４の頸に掛ける頸ベルト２０と、練習相手４４の胴に巻き付ける胴ベルト２１と、それらベルト２０，２１を連結する金属製または合成樹脂製の連結金具２２と、胴ベルト２１の長さを調節する金属製または合成樹脂製の長さ調節金具２３とが取り付けられている。胴ベルト２１は、ワンタッチバックル２４が取り付けられたワンタッチベルトである。
【００３１】
ボディープロテクター１１は、その表面材（表生地）として人工皮や本革、合皮、ポリウレタンが使用され、裏面材（裏生地）として人工皮や合皮、ポリエステルが使用され、表面材と裏面材との間に収容される中材として強化スポンジや圧縮スポンジ、ポリウレタン、塩化ビニル樹脂、ＥＶＡ樹脂等のクッション材が使用されている。
【００３２】
なお、ボディープロテクター１１は図示の形状に限定されない。ボディープロテクター１１の形状に特に制限はなく、あらゆる形状のボディープロテクター１１を使用することができる。ボディープロテクター１１の大きさ（サイズ）は、大人用のそれである。また、空手用ボディープロテクター１１の他に、格闘技において使用されるあらゆる種類のボディープロテクターを使用することができる。
【００３３】
ボディープロテクター１１の前面１２であってその幅方向中央には、メカニカルファスナ２５の雄ファスナと雌ファスナとのうちのいずれか一方が取り付けられている。ボディープロテクター１１の前面１２に取り付けられたメカニカルファスナ２５は、第１連結手段を形成する。メカニカルファスナ２５は、ボディープロテクター１１の上端部１６と中間部１７と下端部１８とに取り付けられ、上下端部１６，１８の間で一連につながって上下方向へ延びている。メカニカルファスナ１１は、模擬ヘッド１３と略同一の幅寸法を有する。メカニカルファスナ２５は、ボディープロテクター１１（表面材）の前面１２の幅方向中央に縫製（縫い付け）または接着剤あるいは熱融着によって固定されている。
【００３４】
ボディープロテクター１１に取り付けられたメカニカルファスナ２５には、その幅方向の中心であって上下方向へ延びる第１中心目印線２６が表示（印刷）されている。第１中心目印線２６は、ボディープロテクター１１の幅寸法を二分して上下方向へ延びる仮想中心線（図示せず）に一致し、模擬ヘッド１３をボディープロテクター１１に取り付けるときの目印になる。
【００３５】
ボディープロテクター１１の下端部１８の後面２７（練習相手４４に対向する対向面）には、メカニカルファスナ２８の雄ファスナと雌ファスナとのうちのいずれか一方が取り付けられている。ボディープロテクター１１の下端部１８に取り付けられたメカニカルファスナ２８は、第２連結手段を形成する。メカニカルファスナ２８は、ボディープロテクター１１（裏面材）の後面２７に縫製（縫い付け）または接着剤あるいは熱融着によって固定されている。
【００３６】
ボディープロテクター１１の両側部１９における下方の後面２８には、メカニカルファスナ２９の雄ファスナと雌ファスナとのうちのいずれか一方が取り付けられている。ボディープロテクター１１の両側部１９に取り付けられたメカニカルファスナ２９は、第３連結手段を形成する。メカニカルファスナ２９は、ボディープロテクター１１（裏面材）の後面２７に縫製（縫い付け）または接着剤あるいは熱融着によって固定されている。
【００３７】
模擬ヘッド１３は、空手用ヘッドギア３０（ヘッドギア）と、リハビリテーションや体幹のトレーニング等に使用されるメディシンボール３１とから形成されている。模擬ヘッド１３は、仮想練習相手の頭部を模擬（擬似）している。ヘッドギア３０は、柔軟性およびクッション性を有し、その頭周囲が５０〜６０ｃｍである。ヘッドギア３０は、その表面材（表生地）として人工皮や本革、合皮、ポリウレタンが使用され、裏面材（裏生地）として人工皮や合皮、ポリエステルが使用され、表面材と裏面材との間に収容される中材として強化スポンジや圧縮スポンジ、ポリウレタン、塩化ビニル樹脂、ＥＶＡ樹脂等のクッション材が使用されている。ヘッドギア３０には、ポリカーボネートやレクサンから作られたフェイスガードが取り付けられていてもよく、イヤーガードが取り付けられていてもよい。
【００３８】
メディシンボール３１は、ヘッドギア３０の内部に着脱可能に収容されている。なお、ヘッドギア３０は図示の形状に限定されない。ヘッドギア３０の形状や大きさ（サイズ）に特に制限はなく、あらゆる形状や大きさのヘッドギアを使用することができる。また、空手用ヘッドギア３０の他に、格闘技において使用されるあらゆる種類のヘッドギアを使用することができる。
【００３９】
ヘッドギア３０の後部３２（練習相手４４の後頭部を包被する部分）には、幅方向へ延びる可撓性の連結バンド３３が取り付けられている。連結バンド３３は、布地や合成樹脂シート、布地と合成樹脂シートとの複合シート等から作られ、その幅寸法がボディープロテクター１１に取り付けられたメカニカルファスナ２５のそれ（模擬ヘッド１３の幅寸法）と略同一である。連結バンド３３は、図示はしていないが、ヘッドギア３０の後部３２の表面材に縫製（縫い付け）または接着剤あるいは熱融着によって固定され、あるいは、ヘッドギア３０の後部３２の表面材にメカニカルファスナによって着脱可能に取り付けられている。
【００４０】
連結バンド３３のボディープロテクター１１に対向する対向面の全域には、メカニカルファスナ２５の雄ファスナと雌ファスナとのうちのいずれか他方が取り付けられている。連結バンド３３に取り付けられたメカニカルファスナ２５は、第１連結手段を形成する。連結バンド３３に取り付けられたメカニカルファスナ２５には、その幅方向の中心であって上下方向へ延びる第２中心目印線３４が表示されている。第２中心目印線３４は、模擬ヘッド１３をボディープロテクター１１に取り付けるときの目印になる。
【００４１】
模擬ヘッド１３は、連結バンド３３に取り付けられたメカニカルファスナ２５とボディープロテクター１１に取り付けられたメカニカルファスナ２５とを係合させることで、ボディープロテクター１１の上下端部１６，１８の間の任意の部位に取り付けることができる。また、連結バンド３３に取り付けられたメカニカルファスナ２５とボディープロテクター１１に取り付けられたメカニカルファスナ２５との係合を解除することで、模擬ヘッド１３をボディープロテクター１１から取り外すことができる。なお、後記する図１１と同様に、模擬ヘッド１３に連結バンド３３が取り付けられていなくてもよい。この場合、ヘッドギア３０の後部３２におけるボディープロテクター１１との対向面にメカニカルファスナ２５（第１連結手段）の雄ファスナと雌ファスナとのうちのいずれか他方が取り付けられる。
【００４２】
それら第１保護パッド１４は、上下方向へ長い所定面積を有するとともに、柔軟性およびクッション性を有し、練習相手４４の鼠径部と大腿部の前面および内側面とを練習者４５の打撃から保護する。第１保護パッド１４は、ポリウレタンや強化スポンジ、圧縮スポンジから作られている。また、ボディープロテクター１１やヘッドギア３０と同様の表面材（表生地）と裏面材（裏生地）との間に中材を収容したパッドを使用することもできる。
【００４３】
それら第１保護パッド１４の上端部３５の前面３６には、メカニカルファスナ２８の雄ファスナと雌ファスナとのうちのいずれか他方が取り付けられている。第１保護パッド１４の上端部３５に取り付けられたメカニカルファスナ２８は、第２連結手段を形成する。メカニカルファスナ２８は、第１保護パッド１４の上端部３５に縫製（縫い付け）または接着剤あるいは熱融着によって固定されている。
【００４４】
それら第１保護パッド１４の外側部３７（第２保護パッド１５に対向する対向側部）の後面３８には、メカニカルファスナ３９の雄ファスナと雌ファスナとのうちのいずれか一方が取り付けられている。第１保護パッド１４の外側部３７に取り付けられたメカニカルファスナ３９は、第４連結手段を形成する。メカニカルファスナ３９は、第１保護パッド１４の外側部３７に縫製（縫い付け）または接着剤あるいは熱融着によって固定されている。
【００４５】
第１保護パッド１４は、それらに取り付けられたメカニカルファスナ２８とボディープロテクター１１の下端部１８に取り付けられたメカニカルファスナ２８とを係合させることで、ボディープロテクター１１の下端部１８に連結することができる。また、第１保護パッド１４に取り付けられたメカニカルファスナ２８とボディープロテクター１１に取り付けられたメカニカルファスナ２８との係合を解除することで、第１保護パッ１４ドをボディープロテクター１１から取り外すことができる。第１保護パッド１４をボディープロテクター１１に連結すると、第１保護パッド１４がボディープロテクター１１の下端部１８から下方へ延びる。
【００４６】
ボディープロテクター１１と第１保護パッド１４との連結に図示はしていないが複数本の紐材（第２連結手段）を使用することもできる。この場合、ボディープロテクター１１の下端部１８に紐材を挿通する複数の挿通孔を穿孔し、第１保護パッド１４の上端部３５に紐材を挿通する複数の挿通孔を穿孔する。ボディープロテクター１１の挿通孔と第１保護パッド１４の挿通孔とに紐材を挿通し、紐材を結ぶことで、ボディープロテクター１１と第１保護パッド１４との連結することができ、紐材を解いて挿通孔から紐材を抜き取ることで第１保護パッド１４をボディープロテクター１１から取り外すことができる。なお、第２連結手段として、メカニカルファスナ２８と紐材とを併用することもできる。
【００４７】
それら第２保護パッド１５は、上下方向へ長い所定面積を有するとともに、柔軟性およびクッション性を有し、練習相手４４の腰の側面と大腿部の外側面とを練習者４５の打撃から保護する。第２保護パッド１５は、ポリウレタンや強化スポンジ、圧縮スポンジから作られている。また、ボディープロテクター１１やヘッドギア３０と同様の表面材（表生地）と裏面材（裏生地）との間に中材を収容したパッドを使用することもできる。
【００４８】
それら第２保護パッド１５の上端部４０の前面４１には、メカニカルファスナ２９の雄ファスナと雌ファスナとのうちのいずれか他方が取り付けられている。第２保護パッド１５の上端部４０に取り付けられたメカニカルファスナ２９は、第３連結手段を形成する。メカニカルファスナ２９は、第２保護パッド１５の上端部４０に縫製（縫い付け）または接着剤あるいは熱融着によって固定されている。
【００４９】
それら第２保護パッド１５の内側部４２（第１保護パッド１４に対向する対向側部）の前面４１には、メカニカルファスナ３９の雄ファスナと雌ファスナとのうちのいずれか他方が取り付けられている。第２保護パッド１５の内側部４２に取り付けられたメカニカルファスナ３９は、第４連結手段を形成する。メカニカルファスナ３９は、第２保護パッド１５の内側部４２に縫製（縫い付け）または接着剤あるいは熱融着によって固定されている。
【００５０】
第２保護パッド１５は、それらに取り付けられたメカニカルファスナ２９とボディープロテクター１１の両側部１９に取り付けられたメカニカルファスナ２９とを係合させることで、ボディープロテクター１１の両側部１９に連結することができる。また、第２保護パッド１５に取り付けられたメカニカルファスナ２９とボディープロテクター１１に取り付けられたメカニカルファスナ２９との係合を解除することで、第２保護パッド１５をボディープロテクター１１から取り外すことができる。第２保護パッド１５をボディープロテクター１１に連結すると、第２保護パッド１５がボディープロテクター１１の両側部１９から下方へ延びる。
【００５１】
ボディープロテクター１１と第２保護パッド１５との連結に図示はしていないが複数本の紐材（第３連結手段）を使用することもできる。この場合、ボディープロテクター１１の両側部１９の下方に紐材を挿通する複数の挿通孔を穿孔し、第２保護パッド１５の上端部４０に紐材を挿通する複数の挿通孔を穿孔する。ボディープロテクター１１の挿通孔と第２保護パッド１５の挿通孔とに紐材を挿通し、紐材を結ぶことで、ボディープロテクター１１と第２保護パッド１５との連結することができ、紐材を解いて挿通孔から紐材を抜き取ることで第２保護パッド１５をボディープロテクター１１から取り外すことができる。なお、第３連結手段として、メカニカルファスナ２９と紐材とを併用することもできる。
【００５２】
第２保護パッド１５は、その内側部４２に取り付けられたメカニカルファスナ３９と第１保護パッド１４の外側部３７に取り付けられたメカニカルファスナ３９とを係合させることで、第１保護パッド１４に着脱可能に連結することができる。また、第２保護パッド１５に取り付けられたメカニカルファスナ３９と第１保護パッド１４に取り付けられたメカニカルファスナ３９との係合を解除することで、第２保護パッド１５を第１保護パッド１４から取り外すことができる。
【００５３】
第１保護パッド１４と第２保護パッド１５との連結に図示はしていないが複数本の紐材（第４連結手段）を使用することもできる。この場合、第１保護パッド１４の外側部３７に紐材を挿通する複数の挿通孔を穿孔し、第２保護パッド１５の内側部４２に紐材を挿通する複数の挿通孔を穿孔する。第１保護パッド１４の挿通孔と第２保護パッド１５の挿通孔とに紐材を挿通し、紐材を結ぶことで、第１保護パッド１４と第２保護パッド１５との連結することができ、紐材を解いて挿通孔から紐材を抜き取ることで第１保護パッド１４と第２保護パッド１５との連結を解除することができる。なお、第４連結手段として、メカニカルファスナ３９と紐材とを併用することもできる。
【００５４】
図７は、図１の格闘技用練習具１０Ａを装着した練習相手４４（大人４６）の斜視図であり、図８は、図１の格闘技用練習具１０Ａを装着した練習相手４４（大人４６）と練習者４５（子供４７）との斜視図である。格闘技用練習具１０Ａを練習相手４４（大人４６）が装着する手順の一例は、以下のとおりである。メカニカルファスナ２８（第２連結手段）を利用してボディープロテクター１１の下端部１８に第１保護パッド１４を連結し、メカニカルファスナ２９（第３連結手段）を利用してボディープロテクター１１の両側部１９に第２保護パッド１５を連結するとともに、メカニカルファスナ３９（第４連結手段）を利用して第１保護パッド１４の外側部３７と第２保護パッド１５の内側部４２とを連結する。
【００５５】
次に、ボディープロテクター１１の頸ベルト２０を頸に掛け、胴ベルト２１のワンタッチバックル２４を係合させた後、連結金具２２や長さ調節金具２３によって頸ベルト２０や胴ベルト２１の長さを調節し、ボディープロテクター１１を装着する。練習相手４４（大人４６）がボディープロテクター１１を装着すると、練習相手４４の頸の下方近傍に上端部１６が当接し、練習相手４４の胸部および腹部に中間部１７が当接し、練習相手４４の鼠径部の上方近傍に下端部１８が当接するとともに、練習相手４４の脇腹（横腹）から背中に両側部１９が当接する。さらに、第１保護パッド１４が練習相手４４の鼠径部と大腿部の前面および内側面とに位置し、第２保護パッド１５が練習相手４４の腰側面と大腿部外側面とに位置する。
【００５６】
ボディープロテクター１１を装着した後、模擬ヘッド１３をボディープロテクター１１の幅方向中央に連結する。模擬ヘッド１３のボディープロテクター１１に対する上下方向の取付位置を決めた後、模擬ヘッド１３の連結バンド３３に取り付けられたメカニカルファスナ２５の第２中心目印線３４をボディープロテクター１１に取り付けられたメカニカルファスナ２５の第１中心目印線２６にあわせ、連結バンド３３のメカニカルファスナ２５とボディープロテクター１１のメカニカルファスナ２５とを係合させる。
【００５７】
メカニカルファスナ２５（第１連結手段）どうしを係合させると、模擬ヘッド１３がボディープロテクター１１の幅方向中央であってボディープロテクター１１の上端部１６と下端部１８との間の任意の部位に取り付けられる。模擬ヘッド１３のボディープロテクター１１に対する上下方向の取付位置は、練習者４５（子供４７）の頭部の位置と略同一である。模擬ヘッド１３のボディープロテクター１１に対する上下方向の取付位置を変えることで、ボディープロテクター１１に対する模擬ヘッド１３の取付位置をボディープロテクター１１の上端部１６と下端部１８との間で容易に変更することができる。第１中心目印線２６と第２中心目印線３４とを一致させることで、模擬ヘッド１３をボディープロテクター１１の幅方向中央に正確に取り付けることができる。
【００５８】
練習相手４４（大人４６）が格闘技用練習具１０Ａを装着した後、図８に示すように、練習者４５（子供４７）が格闘技用練習具１０Ａを装着した練習相手４４（大人４６）と対峙し、練習相手４４（大人４６）よりも背が低い練習者４５（子供４７）が格闘技用練習具１０Ａ（ボディープロテクター１１や模擬ヘッド１３、第１保護パッド１４、第２保護パッド１５）に対して突きや蹴り等の空手の打撃を繰り出す。
【００５９】
模擬ヘッド１３が練習者４５の頭部の位置と略同レベルにあるから、練習者４５である子供４７は、自分と略同一の伸長の相手を想定しつつ空手の各種の技を繰り出し、練習者４５よりも背が高い練習相手４４である大人４６は、打撃を繰り出す子供４７（練習者４５）を見下ろしながら子供４７に対して適切な指導をしつつ空手の練習を行わせる。
【００６０】
格闘技用練習具１０Ａは、それを装着した練習相手４４（大人４６）の伸長が練習者４５（子供４７）のそれよりも高く、身長差によって練習相手４４の顔面を含む頭部に打撃を加えられない場合であっても、練習者４５の顔面を含む頭部の位置と略同じボディープロテクター１１の部位にヘッドギア３９とメディシンボール３１とから形成された模擬ヘッド１３が取り付けられているから、ボディープロテクター１１と模擬ヘッド１３とから形成された格闘技用練習具１０Ａを自分と伸長が略同一の仮想練習相手に見立て、その模擬ヘッド１３を仮想練習相手の頭部と想定しつつ模擬ヘッド１３から下方に延びるボディープロテクター１１を仮想練習相手の胴部と想定して練習者４５がボディープロテクター１１や模擬ヘッド１３に打撃を加えることができる。
【００６１】
格闘技用練習具１０Ａは、練習相手４４（大人４６）が模擬ヘッド１３を取り付けたボディープロテクター１１を装着したときに、第１保護パッド１４が練習相手４４の鼠径部と大腿部の前面および内側面とに位置し、練習者４５（子供４７）が練習相手４４の鼠径部から大腿部までを仮想練習相手の胴部や脚部と想定しつつ、練習者４５が第１保護パッド１４に打撃を加えることができ、練習者４５と略同じ伸長の仮想練習相手の胴部や脚部を想定しつつ練習者４５が空手の練習をすることができる。
【００６２】
格闘技用練習具１０Ａは、練習相手４４（大人４６）が模擬ヘッド１３を取り付けたボディープロテクター１１を装着したときに、第２保護パッド１５が練習相手４４の腰の側面および大腿部の側面に位置し、練習者４５（子供４７）が練習相手４４の腰から大腿部までを仮想練習相手の胴部や脚部と想定しつつ、練習者４５が第２保護パッド１５に打撃を加えることができ、練習者４５と略同じ伸長の仮想練習相手の胴部や脚部を想定しつつ練習者４５が空手の練習をすることができる。
【００６３】
格闘技用練習具１０Ａは、空手（格闘技）の練習相手４４（大人４６）と練習者４５（子供４７）との間に身長差があったとしても、練習者４５が胴部のみならず顔面を含む頭部（模擬ヘッド１３）を対象にした打撃練習をすることができ、格闘技用練習具１０Ａを利用することで練習者４５が練習相手４４と空手の効果的かつ実戦的な練習をすることができる。格闘技用練習具１０Ａは、格闘技の練習相手４４が手でミットを持つ必要がなく、練習相手４４がその両腕を自由に使うことができ、練習者４５に対して練習相手４４からも技を繰り出すことができる。格闘技用練習具１０Ａは、練習者４５に対して練習相手４４からも技を繰り出すことができるから、練習者４５がより実戦的な攻守の練習をすることができ、実戦を想定した間合い（距離感）を養うことができる。格闘技用練習具１０Ａは、大人４６の指導者が格闘技用練習具１０Ａを装着して子供４７である練習者４５に稽古を付けることができるから、大人４６の指導の下に子供４７が空手の練習を積むことができ、子供４７の空手の腕を確実に上達させることができる。
【００６４】
格闘技用練習具１０Ａは、メカニカルファスナ２５（第１連結手段）を利用して模擬ヘッド１３をボディープロテクター１１の幅方向中央部であって上下端部１６，１８の間の任意の部位に取り付けることができるから、各練習者４５（各子供４７）の伸長に高低があったとしても、それら練習者４５の顔面を含む頭部の位置と略同じボディープロテクター１１の部位に模擬ヘッド１３を取り付けることができる。格闘技用練習具１０Ａは、練習者４５（子供４７）が柔らかいメディシンボール３１を打撃するから、練習者４５が相手の顔面や頭部を想定した打撃感を身につけることができるとともに、練習者４５の打撃力がメディシンボール３１に吸収されから、練習中における練習者４５の拳や脚部の怪我を防ぐことができる。
【００６５】
図９は、他の一例として示す格闘技用練習具１０Ｂの斜視図であり、図１０は、他の一例として示す空手用ボディープロテクター１１の斜視図である。図１１は、後部３２の側から示す模擬ヘッド１３の斜視図である。図１２は、図９の格闘技用練習具１０Ｂを装着した練習相手４４（大人４６）の斜視図であり、図１３は、図９の格闘技用練習具１０Ｂを装着した練習相手４４（大人４６）と練習者４５（子供４７）との斜視図である。
【００６６】
図９に示す格闘技用練習具１０Ｂが図１のそれと異なるところは、連結ベルト４８Ａ，４８Ｂおよび金属製または合成樹脂製の長さ調節金具４９（長さ調節部材）を有する点、ヘッドギア３０の後部３２に連結バンド３３が取り付けられていない点にある。格闘技用練習具１０Ｂのその他の構成は図１の格闘技用練習具１０Ａのそれらと同一であるから、図１の格闘技用練習具１０Ａと同一の符号を付すとともに、格闘技用練習具１０Ａの説明を援用することで、格闘技用練習具１０Ｂのその他の構成の詳細な説明は省略する。
【００６７】
格闘技用練習具１０Ｂは、格闘技用練習具１０Ａと同様に、空手（他の格闘技を含む）の組み手において練習者４５の技を受ける練習相手４４が装着し、空手の練習に使用される。格闘技用練習具１０Ｂを装着する練習相手４４は大人４６であり、格闘技用練習具１０Ｂを使用して練習する練習者４５は子供４７である。
【００６８】
格闘技用練習具１０Ｂは、所定面積の空手用ボディープロテクター１１（ボディープロテクター）と、ボディープロテクター１１の前面１２にメカニカルファスナ２５（第１連結手段）を介して着脱可能に取り付けられた模擬ヘッド１３と、ボディープロテクター１１にメカニカルファスナ２８（第２連結手段）を介して着脱可能に取り付けられた一対の第１保護パッド１４と、ボディープロテクター１１および第１保護パッド１４にメカニカルファスナ２９，３９（第３および第４連結手段）を介して着脱可能に取り付けられた一対の第２保護パッド１５と、一対の連結ベルト４８Ａ，４８Ｂおよび長さ調節金具４９（長さ調節部材）とから形成されている。ボディープロテクター１１や第１および第２保護パッド１４，１５は図１の格闘技用練習具１０のそれらと同一であるから、図１の格闘技用練習具１０の説明を援用することで、それらの説明は省略する。
【００６９】
模擬ヘッド１３は、図１の格闘技用練習具１０Ａのそれと同様に、空手用ヘッドギア３０（ヘッドギア）とメディシンボール３１とから形成され、仮想練習相手の頭部を模擬している。ヘッドギア３０やメディシンボール３１は、図１のそれらと同一である。模擬ヘッド１３には、図１の格闘技用練習具１０Ａのそれと異なり、連結バンド３３が取り付けられていない。
【００７０】
ヘッドギア３０の後部３２（練習相手４４の後頭部を包被する部分）におけるボディープロテクター１１との対向面には、メカニカルファスナ２５の雄ファスナと雌ファスナとのうちのいずれか他方が取り付けられている。メカニカルファスナ２５は、上下方向へ幅方向とへ延びる所定面積を有し、第１連結手段を形成する。メカニカルファスナ２５は、ヘッドギア３０の後部３２に縫製（縫い付け）または接着剤あるいは熱融着によって固定されている。ヘッドギア３０の後部３２に取り付けられたメカニカルファスナ２５には、その幅方向の中心であって上下方向へ延びる第２中心目印線３４が表示（印刷）されている。第２中心目印線３４は、模擬ヘッド１３をボディープロテクター１１に取り付けるときの目印になる。
【００７１】
模擬ヘッド１３は、それに取り付けられたメカニカルファスナ２５とボディープロテクター１１に取り付けられたメカニカルファスナ２５とを係合させることで、ボディープロテクター１１の上下端部１６，１８の間の任意の部位に取り付けることができる。また、模擬ヘッド１３に取り付けられたメカニカルファスナ２５とボディープロテクター１１に取り付けられたメカニカルファスナ２５との係合を解除することで、ボディープロテクター１１の前面１２に対する模擬ヘッド１３の固定を解くことができる。なお、図３と同様に、ヘッドギア３０の後部３２に幅方向へ延びる連結バンド３３が取り付けられ、連結バンド３３の対向面の全域にメカニカルファスナ２５（第１連結手段）の雄ファスナと雌ファスナとのうちのいずれか他方が取り付けられていてもよい。
【００７２】
連結ベルト４８Ａは、ボディープロテクター１１の上端部１６の幅方向両側の一方から下方へ延び、連結ベルト４８Ｂは、ボディープロテクター１１の上端部１６の幅方向両側の他方から下方へ延びている。連結ベルト４８Ａ，４８Ｂは、その上端部５０がボディープロテクター１１の上端部１６の幅方向両側に取り付けられ、その下端部５１がヘッドギア３０（模擬ヘッド１３）の頂部５２の幅方向両側に取り付けられている。
【００７３】
連結ベルト４８Ａ，４８Ｂの上端部５０は、図示はしていないが、ボディープロテクター１１の上端部１６の表面材または裏面材に縫製（縫い付け）または接着剤あるいは熱融着によって固定され、あるいは、ボディープロテクター１１の上端部１６の表面材または裏面材にメカニカルファスナによって着脱可能に取り付けられている。または、ボディープロテクター１１の上端部１６に穿孔されたベルト挿通孔に挿通され、バックル（固定金具）によってボディープロテクター１１に取り付けられている。
【００７４】
連結ベルト４８Ａ，４８Ｂの下端部５１は、図示はしていないが、ヘッドギア３０の頂部５２の表面材または裏面材に縫製（縫い付け）または接着剤あるいは熱融着によって固定され、あるいは、ヘッドギア３０の頂部５２の表面材または裏面材にメカニカルファスナによって着脱可能に取り付けられている。または、ヘッドギア３０の頂部５２に穿孔されたベルト挿通孔に挿通され、バックル（固定金具）によってヘッドギア３０に取り付けられている。長さ調節金具４９は、それら連結ベルト４８Ａ，４８Ｂに設置され、連結ベルト４８Ａ，４８Ｂの長さを調節する。
【００７５】
模擬ヘッド１３は、連結ベルト４８Ａ，４８Ｂによってボディープロテクター１１に吊り下げられている。格闘技用練習具１０Ｂは、長さ調節金具４９を利用してそれら連結ベルト４８Ａ，４８Ｂの上下方向の長さを調節し、連結ベルト４８Ａ，４８Ｂに連結された模擬ヘッド１３の上下方向の高さをボディープロテクター１１の上端部１６と下端部１８との間で調節することができる。長さ調節金具４９によって連結ベルト４８Ａ，４８Ｂの長さを最も短くすることで、模擬ヘッド１３をボディープロテクター１１の上端部１６に位置させることができ、長さ調節金具４９によって連結ベルト４８Ａ，４８Ｂの長さを最も長くすることで、模擬ヘッド１３をボディープロテクター１１の下端部１８に位置させることができる。
【００７６】
格闘技用練習具１０Ｂを練習相手４４（大人４６）が装着する手順の一例は、以下のとおりである。メカニカルファスナ２８（第２連結手段）を利用してボディープロテクター１１の下端部１８に第１保護パッド１４を連結し、メカニカルファスナ２９（第３連結手段）を利用してボディープロテクター１１の両側部１９に第２保護パッド１５を連結するとともに、メカニカルファスナ３９（第４連結手段）を利用して第１保護パッド１４の外側部３７と第２保護パッド１５の内側部４２とを連結する。
【００７７】
次に、ボディープロテクター１１の頸ベルト２０を頸に掛け、胴ベルト２１のワンタッチバックル２４を係合させた後、長さ調節金具２３によって頸ベルト２０および胴ベルト２１の長さを調節し、ボディープロテクター１１を装着する。ボディープロテクター１１を装着した後、長さ調節金具４９を利用して連結ベルト４８Ａ，４８Ｂの上下方向の長さを調節し、模擬ヘッド１３のボディープロテクター１１に対する上下方向の取付位置を決める。
【００７８】
模擬ヘッド１３のボディープロテクター１１に対する取付位置を決めた後、模擬ヘッド１３に取り付けられたメカニカルファスナ２５の第２中心目印線３４をボディープロテクター１１に取り付けられたメカニカルファスナ２５の第１中心目印線２６にあわせ、模擬ヘッド１３のメカニカルファスナ２５とボディープロテクター１１のメカニカルファスナ２５とを係合させ、模擬ヘッド１３をボディープロテクター１１の幅方向中央に連結（固定）する。
【００７９】
長さ調節金具４９によって連結ベルト４８Ａ，４８Ｂの長さを調節し、模擬ヘッド１３のボディープロテクター１１に対する上下方向の取付位置を変えることで、ボディープロテクター１１に対する模擬ヘッド１３の取付位置をボディープロテクター１１の上端部１６と下端部１８との間で容易に変更することができる。第２中心目印線３４と第１中心目印線２６とを一致させることで、模擬ヘッド１３をボディープロテクター１１の幅方向中央に正確に取り付けることができる。
【００８０】
練習相手４４（大人４６）が格闘技用練習具１０Ｂを装着した後、図１３に示すように、練習者４５（子供４７）が格闘技用練習具１０Ｂを装着した練習相手４４（大人４６）と対峙し、練習相手４４（大人４６）よりも背が低い練習者４５（子供４７）が格闘技用練習具１０Ｂ（ボディープロテクター１１や模擬ヘッド１３、第１保護パッド１４、第２保護パッド１５）に対して突きや蹴り等の空手の打撃を繰り出す。
【００８１】
模擬ヘッド１３が練習者４５の頭部の位置と略同レベルにあるから、練習者４５である子供４７は、自分と略同一の伸長の相手を想定しつつ空手の各種の技を繰り出し、練習者４５よりも背が高い練習相手４４である大人４６は、打撃を繰り出す子供４７（練習者４５）を見下ろしながら子供４７に対して適切な指導をしつつ空手の練習を行わせる。
【００８２】
格闘技用練習具１０Ｂは、図１の格闘技用練習具１０Ａが有する効果に加え、以下の効果を有する。格闘技用練習具１０Ｂは、長さ調節金具４９（長さ調節部材）によってそれら連結ベルト４８Ａ，４８Ｂの上下方向の長さを調節しつつ、メカニカルファスナ２５を介して模擬ヘッド１３をボディープロテクター１１の所定の位置に取り付けることで、模擬ヘッド１３をボディープロテクター１１の上下端部１６，１８の間の任意の部位に位置させることができるから、各練習者４５（子供４７）の伸長に高低があったとしても、それら練習者４５の顔面を含む頭部の位置と略同じボディープロテクター１１の部位に模擬ヘッド１３を取り付けることができる。
【００８３】
格闘技用練習具１０Ｂは、模擬ヘッド１３が連結ベルト４８Ａ，４８Ｂに連結されているから、模擬ヘッド１３をメカニカルファスナ２５のみによってボディープロテクター１１に取り付ける場合と比較し、模擬ヘッド１３がボディープロテクター１１から外れることはなく、練習者４５が模擬ヘッド１３を激しく打撃したとしても、模擬ヘッド１３がボディープロテクター１１から他所に飛ばされることはない。
【符号の説明】
【００８４】
１０Ａ  格闘技用練習具
１０Ｂ  格闘技用練習具
１１    空手用ボディープロテクター（ボディープロテクター）
１２    前面
１３    模擬ヘッド
１４    第１保護パッド
１５    第２保護パッド
１６    上端部
１７    中間部
１８    下端部
１９    両側部
２５    メカニカルファスナ（第１連結手段）
２６    第１中心目印線
２７    後面
２８    メカニカルファスナ（第２連結手段）
２９    メカニカルファスナ（第３連結手段）
３０    ヘッドギア
３１    メディシンボール
３２    後部
３３    連結ベルト
３４    第２中心目印線
３５    上端部
３６    前面
３７    外側部
３８    後面
３９    メカニカルファスナ（第４連結手段）
４０    上端部
４１    前面
４２    内側部
４３    前面
４４    練習相手
４５    練習者
４６    大人
４７    子供
４８Ａ，４８Ｂ  連結ベルト
４９    長さ調節金具（長さ調節部材）
５０    上端部
５１    下端部
５２    頂部
【図１】
0006518092.tif 000002
【図２】
0006518092.tif 000003
【図３】
0006518092.tif 000004
【図４】
0006518092.tif 000005
【図５】
0006518092.tif 000006
【図６】
0006518092.tif 000007
【図７】
0006518092.tif 000008
【図８】
0006518092.tif 000009
【図９】
0006518092.tif 000010
【図１０】
0006518092.tif 000011
【図１１】
0006518092.tif 000012
【図１２】
0006518092.tif 000013
【図１３】
0006518092.tif 000014